(57)【特許請求の範囲】
【請求項１】
容器から突出するスパウトの注出筒にスクリューキャップを螺合させることで口栓が構成され、前記注出筒の頂面に可撓性のある合成樹脂製シール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの一部が注出筒の側面からはみ出る長さに構成されるとともに、前記スクリューキャップの開栓動作に伴って前記引っ張りタブをシール蓋から上方へ浮き上がらせるように構成されていることを特徴とする液体容器用口栓。
【請求項２】
容器から突出するスパウトの注出筒にスクリューキャップを螺合させることで口栓が構成され、前記注出筒の頂面に可撓性のある合成樹脂製シール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの前記シール蓋との連結部分以外の少なくとも一部が注出筒の側面からはみ出る長さに構成されるとともに、前記スクリューキャップの開栓動作に伴って前記引っ張りタブの前記はみ出し部分がこのスクリューキャップ内面のネジ山に引っ掛けられて引き上げられることにより、引っ張りタブが上方へ引き上げられることによって引っ張りタブをシール蓋から上方へ浮き上がるように構成されていることを特徴とする液体容器用口栓。
【請求項３】
引っ張りタブのシール蓋との連結部分からこの連結部に対向する遊端までの長さが注出筒の直径よりも長尺で、遊端が少なくともスクリューキャップのネジ山頂部の移動経路よりもスクリューキャップ周壁内面側に入り込んで存在する寸法に設定されている請求項１〜２のいずれかに記載の液体容器用口栓。
【請求項４】
容器から突出するスパウトの注出筒にスクリューキャップを螺合させることで口栓が構成され、前記注出筒の頂面に可撓性のある合成樹脂製シール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの前記シール蓋との連結部分が注出筒の側面からはみ出る長さに構成されるとともに、前記スクリューキャップの閉栓時に少なくともこのスクリューキャップ内面のネジ山によって前記連結部分が下方へ折り曲げられることによってこの引っ張りタブに折り曲がりばね効果が付与されるように構成し、スクリューキャップの開栓動作に伴って前記引っ張りタブが前記折り曲がりばね効果によってシール蓋から上方へ浮き上がるように構成されていることを特徴とする液体容器用口栓。
【請求項５】
引っ張りタブはシール蓋の周縁の一部に一体に連なるか、接着手段によって一体的に連設されている請求項１〜３の何れかに記載の液体容器用口栓。
【請求項６】
引っ張りタブとシール蓋はアルミシール若しくはアルミ箔を備えた多層フィルム若しくは合成樹脂製のフィルムの何れかである請求項１〜４の何れかに記載の液体容器用口栓。
【請求項７】
容器は５０角の紙容器である請求項１〜５の何れかに記載の液体容器用口栓。
【発明の詳細な説明】
【技術分野】
【０００１】
この発明は、醤油等の調味料や油、或いは清酒や果実飲料などを収容するもので、容器頂部に突設されたスパウトにキャップが螺着された液体容器の口栓、更に詳しくは、小容量の液体容器の口栓に関する。
【背景技術】
【０００２】
従来から、これらの液体を収容する容器０１には、使用時の使い易さを考慮して、例えば、図８（Ａ）、（Ｂ）に示すように、胴部０２が四角柱状で、切妻屋根型の頂部の傾斜板０３にスクリューキャップ０４とスパウト０５とからなる口栓０６が突設された液体容器０１が広く使用されている。この口栓０６は、容器０１から突出するスパウト０５の注出筒０７にスクリューキャップ０４を螺合させたものである。また、注出口０８の開封については、プルタブ０９を引き抜いて開栓する方法が一般的である。
【０００３】
ところで、醤油等の調味料や油、或いは濃縮型の果実飲料、清涼飲料などは消費間隔が長いために、商品化する場合は少量の容器に入れられる場合が多い。
【０００４】
そのため、このような少量の容器、例えば２００ｍｌ程度では、注出口の口径は１０ｍｍ前後で小さいために、設計上（構造上）プルタブを設けることは非常に難しく、仮に設けることができたとしてもブルタブに指が入らないなどプルタブを摘まむことができないため開栓が困難であった。そのため、このような不便を解消するために、現状としては、図９（Ａ）、（Ｂ）に示すように、アルミニウムシール等のフィルム系蓋００１に、開栓時に指先で摘まんで引き剥がす引っ張り代（本発明では引っ張りタブ）００２が一体に設けられたものが採用されている。注出口にこのアルミニウムシール等のフィルム系蓋００１を熱などで溶着して、この注出口の密封性を確保し、シール剥離後はキャップにて密封性を確保している（例えば特許文献１〜３参照）。
【発明の概要】
【発明が解決しようとする課題】
【０００５】
しかし、図９（Ａ）、（Ｂ）に示すような従来の形態の場合、この引っ張り代００２は、流通時はキャップ内にシワがよらないようにして収納しておく必要がある。先にも述べたように、殊に少量を収容した容器、例えば２００ｍｌ程度の容器では、注出口の口径は１０ｍｍ前後と小さいので、図９（Ａ）、（Ｂ）に示すような形状を備えたタイプのもの等に代表される蓋では、引っ張り代００２を充分な大きさにすることができない。その結果、引っ張り代００２が撮みにくく、仮に摘めたとしてもその面積が小さいことで、開封に際して加えられる力が十分に伝わりにくいことから、引き剥がし難く、所謂開栓し難く、現に消費者からも開け難いという苦情が寄せられることが多いのが現状である。この点は特許文献２に開示されたつまみ部も同様である。
【０００６】
また、特許文献１に示されるように、上下二つ折りにしたシール板の下側を注出口に貼着するタイプでは、引っ張りタブ機能を発揮する上側板部がキャップで閉栓されている間中、上からの押圧力で塑性変形する傾向にある。その結果、キャップを外してもこの上側板部は下側のシール板にぴたりと張り付いて浮き上がらず、指先で引き剥がすのが大変困難である。
【０００７】
そこでこの発明の課題は、たとえ収容容量が少量のタイプの容器の小型の口栓でも、その密封性を的確に確保し、併せて開栓が容易な液体容器用口栓を提供する点にある。
【課題を解決するための手段】
【０００８】
以上の技術的な課題を解決するために、この発明の請求項１記載の液体容器用口栓は、容器から突出するスパウトの注出筒にスクリューキャップを螺合させることで口栓が構成され、前記注出筒の頂面に可撓性のあるシール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの一部が注出筒の側面からはみ出る長さに構成されるとともに、前記スクリューキャップの開栓動作に伴って前記引っ張りタブをシール蓋から上方へ浮き上がらせるように構成されたものである。
【０００９】
以上の構成による液体容器用口栓においては、図１、図４に示すように、注出筒の頂面にシール蓋が張り付けられることで注出筒の口部の密封性が保たれている。そして、このシール蓋の上面に引っ張りタブが折畳み重合され、スクリューキャップによってシールの上面に押圧密着される。斯かる密封状態から容器の注出筒の口部を開放するには、先ずスクリューキャップを回動して注出筒から離脱させる。このスクリューキャップの離脱によって、つまりは開栓動作に伴って引っ張りタブがシール蓋から上方へ浮き上がる。その結果、シール蓋の上面と引っ張りタブとの間に隙間が形成される。この隙間は指先がシール蓋の上面と引っ張りタブとの間に挿入されるのを容易にする。その結果、引っ張りタブを簡単に指先でつまむことができる。指先で摘まんだ引っ張りタブをそのまま引き上げれば、この引き上げ力を連結部を介してシール蓋を上方へ引き上げる力として働かせることができ、シール蓋を注出筒の口部から簡単に、また、上手く引き剥がすことができる。
【００１０】
この発明は、別の観点から、請求項２に記載のように、容器から突出するスパウトの注出筒にスクリューキャップを螺合させることで口栓が構成され、前記注出筒の頂面に可撓性のあるシール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの前記シール蓋との連結部分以外の少なくとも一部が注出筒の側面からはみ出る長さに構成されるとともに、前記スクリューキャップの開栓動作に伴って前記引っ張りタブの前記はみ出し部分がこのスクリューキャップ内面のネジ山に引っ掛けられて引き上げられることにより、引っ張りタブが上方へ引き上げられることによって引っ張りタブをシール蓋から上方へ浮き上がるように構成されたものである。
【００１１】
更にこの発明は、更に別の観点から、請求項４に記載のように、容器から突出するスパウトの注出筒にスクリューキャップを螺合させることで口栓が構成され、前記注出筒の頂面に可撓性のあるシール蓋を張り付けてこの注出筒の口部の密封性を保つように構成された液体容器用口栓において、シール蓋の周縁の一部に一体若しくは一体的に連結され、且つ、展開可能にこのシール蓋上に折畳み重合されてなる引っ張りタブを備え、この引っ張りタブの前記シール蓋との連結部分が注出筒の側面からはみ出る長さに構成されるとともに、前記スクリューキャップの閉栓時に少なくともこのスクリューキャップ内面のネジ山によって前記連結部分が下方へ折り曲げられることによってこの引っ張りタブに折り曲がりばね効果が付与されるように構成し、スクリューキャップの開栓動作に伴って前記引っ張りタブが前記折り曲がりばね効果によってシール蓋から上方へ浮き上がるように構成されたものである。
【００１２】
以上の構成による液体容器用口栓においては、図１、図４  に示すように、注出筒の頂面にシール蓋が張り付けられることで注出筒の口部の密封性が保たれている。そして、このシール蓋の上面に引っ張りタブが折畳み重合されている。この引っ張りタブの一部（図１では遊端側、図４では連結部側がシール蓋と共々）は注出筒の側面から外方へ張り出している。この状態からスクリューキャップを注出筒に螺合させると、このスクリューキャ
ップ内面のネジ山によって下方へ折り曲げられる。
【００１３】
ここで、引っ張りタブの一部を注出筒の側面から外方へ張り出させた形態（請求項２）の場合には、ネジ山が通り過ぎると、この引っ張りタブの一部はその弾性反発力によって元の水平な姿勢に復帰しようとして、ネジ山の頂部の移動経路を超えてネジ谷側に位置することになる。
【００１４】
また、連結部分を注出筒の側面から外方へ張り出させた形態（請求項４）の場合には、ネジ山が通り過ぎると、その折れ曲がりによって、引っ張りタブにその遊端側を上方に浮き上がらせようとするバネ効果が働く。
【００１５】
従って、注出筒の口部を開放すべくスクリューキャップを取り外そうとすると、スクリューキャップの上方への移動によって、引っ張りタブの一部を注出筒の側面から外方へ張り出させた形態（請求項２）の場合には、この引っ張りタブの一部がネジ山に引っ掛かってこのネジ山の上方への移動に伴って上方へ引き上げられ、シール蓋の上面から上方へ浮き上がる。
【００１６】
また、連結部分を注出筒の側面から外方へ張り出させた形態（請求項４）の場合には、スクリューキャップの上方への移動によって、引っ張りタブに掛かる押圧力が無くなるため、引っ張りタブはその折り曲がりばね効果によって自らシール蓋の上面から上方へ浮き上がる。
【００１７】
このようにして、何れの場合にも、引っ張りタブとシール蓋との間に隙間が形成される。したがって指先の挿入が楽に行え、引っ張りタブの一部を簡単につまみ上げることができる。摘み上げた引っ張りタブをそのまま上方へ引き上げると、この引き上げ力が連結部を介してシール蓋を上方へ引き上げる力として働き、シール蓋を注出筒の口部から上手く引き剥がすように働く。
【発明の効果】
【００１８】
従って、この発明の液体容器用口栓は、シール蓋によって注出筒の口部を密封するので、高い密封性が保たれる。そして、単にスクリューキャップを注出筒から離脱さえすれば、最大限シール蓋と同等あるいはそれよりもやや大きめの引っ張りタブが簡単に浮き上がってこのシール蓋の上面との間に指先を挿入できるに足る間隔が形成される。従って、従来のように、注出筒の口部の外側面にへばり付いた細幅・小片の引っ張りタブを苦労して起き上がらせる必要もなく、引っ張りタブを簡単に指先で摘まむことができ、また、そのまま摘み上げることができる。更に、引っ張りタブは従来のように細幅・小片ではなく、最大限シール蓋と同等あるいはそれよりもやや大きめのものを採用できるので、シール蓋を口部から引き剥がすにあたっても強力な引き剥がし力をシール蓋に作用させることができ、開封が容易になる。
【００１９】
また、この発明に係る液体容器用口栓は、請求項３に記載されるように、引っ張りタブのシール蓋との連結部分からこの連結部に対向する遊端までの長さが注出筒の直径よりも長尺で、遊端が少なくともスクリューキャップのネジ山頂部の移動経路よりもスクリューキャップ周壁内面側に入り込んで存在する寸法に設定されているのが望ましい。
スクリューキャップによる開栓時、このはみ出る部位はネジ山の移動経路を超えて更にスクリューキャップの周壁側に位置しているので、ネジ山にしっかりと掬い上げられ、的確に上方へ持ち上げることができるからである。
【００２０】
更に、この発明に係る液体容器用口栓は、請求項６に記載されるように、少なくとも引っ張りタブはアルミシール若しくはアルミ箔を備えた多層フィルム若しくは合成樹脂製の
フィルムの何れかであるのが望ましい。
何れの場合でも腰が強く、スクリューキャップのネジ山による持ち上げであるにしても、連結部分の折れ曲がりによるバネ力の働きにしても、その作用が的確に引っ張りタブに働き、所期の望ましい浮き上がり姿勢を実現できるからである。
【００２１】
また、この発明に係る液体容器用口栓は、請求項７に記載されるように、容器は５０角の紙容器であるのが望ましい。
小径の口部を持つ少量収容のこのランクの紙容器に適用することが、この発明によってもたらされる作用を理想的に発揮させ得るからである。
【図面の簡単な説明】
【００２２】
【図１】この発明に係る液体容器用口栓の一実施の形態を示し、シール蓋を口部に取り付け状態の説明側面図である。
【図２】シール蓋と引っ張りタブとの構成を示し、（Ａ）はシール蓋と引っ張りタブを展開した平面図、（Ｂ）は（Ａ）中ＡーＡ断面図である。
【図３】作用の説明図で、（Ａ）はスクリューキャップ閉栓後の一部切り欠き説明側面図、（Ｂ）はスクリューキャップを取り除いたときの説明側面図である。
【図４】別の実施の形態を示し、シール蓋を口部に取り付け状態の説明側面図である。
【図５】別の実施の形態のシール蓋と引っ張りタブとの構成を示し、（Ａ）は全体平面図、（Ｂ）は（Ａ）中ＡーＡ断面図である。
【図６】別の実施例の作用の説明図で、（Ａ）はスクリューキャップ閉栓後の一部切り欠き説明側面図、（Ｂ）スクリューキャップを取り除いたときの説明側面図である。
【図７】この発明に採用された５０角の紙容器の外観図である。
【図８】従来例を示し、（Ａ）は紙容器と全体の外観図、（Ｂ）は要部の一部切欠き断面図である。
【図９】更に別の従来例を示し、（Ａ）はシール蓋の全体平面図、（Ｂ）は口部に貼着された状態の要部の外観図である。
【発明を実施するための最良の形態】
【００２３】
以下、この発明に係る液体容器用口栓を５０角で、２００ミリリットル入りの醤油用紙容器に適用した場合の実施の形態を図１〜７の記載に基づいて説明する。
【００２４】
この発明に採用された５０角の醤油用紙容器１とは、図７に示すように、使用時の使い易さを考慮して、胴部２が角柱状で、切妻屋根型の頂部の傾斜板３にスクリューキャップ４とスパウト５とからなる口栓６が突設された液体用紙容器である。口栓６は、図１に示すように、容器１から突出するスパウト５の注出筒７に螺合されるスクリューキャップ４とから構成される。尚、図１中、ＳＡはスクリューキャップ４内部に収容したシール材である。
【００２５】
この紙容器１は、板紙を基材とし、内層と外層がヒートシール可能な熱可塑性合成樹脂から構成される積層シートを紙容器スリーブに加工し、それを製函して作製される。積層シートの材質は、醤油を収容して長期保存に耐えられるものであれば良く、具体的には、例えば、〔容器外側〕ポリエチレン／板紙／ポリエチレン／アルミニウム箔／ポリエチレンテレフタレートフィルム／ポリエチレン〔容器内側〕等の周知の材質構成のものが好ましく使用できる。なお、紙容器１に用いる板紙には、コートボール、コートマニラ等が使用でき、表面には必要に応じて文字や絵柄などを印刷できるものが望ましい。
【００２６】
このような少量収容タイプの紙容器では、その注出筒７の口部８の直径も概ね１０ｍｍ前後で、大変小径である。
【００２７】
また、この注出筒７には、その外周面の雄ネジにスクリューキャップ4 の雌ネジが螺合され、この注出筒７に対してスクリューキャップ４が嵌脱自在に螺着される。
【００２８】
前記口部８の頂面にはその全域を封止するために円形のシール蓋９の周縁部下面が、熱スタンプ溶着法、高周波溶着法、更には接着剤使用による適宜の接着手段によって貼着される。
【００２９】
そして、このシール蓋９は、図２（Ａ）、（Ｂ）に示すように、その周縁の一部から放射方向に向けて帯状の引っ張りタブ１０が一体に連設されている。この引っ張りタブ１０はシール蓋９との連結部１１を直線的に結ぶ線分を折り曲げ線１２として展開可能に上下二つ折りして形成される。
【００３０】
このシール蓋９の前記折り曲げ線１２とこれに対向する周縁９Ａまでの長さＤ（直径）は注出筒７の口部８の外形寸法と同等もしくはやや長めに設定されている。口部８を密封する上で必然である。
【００３１】
シール蓋９と引っ張りタブ１０とは、アルミニウムフィルム、ポリエステルフィルム等がラミネートされた多層フィルムが採用される。なお、必要に応じて、熱可塑性合成樹脂にあっても比較的腰の強い種類のものも採用される。
【００３２】
シール蓋９に引っ張りタブ１０を連結するに当たっては、図２（Ａ）、（Ｂ）、更には図５（Ａ）、（Ｂ）に示すように、フィルムを打ち抜きして両者が一連一体に連なった形態のものが採用される。なお、図示しないが、シール蓋９と引っ張りタブ１０とを別々に形成し、引っ張りタブ１０の基端１０Ａをシール蓋９の周縁の一部に、前記した適宜の接着手段によって、貼着するものであっても良い。
【００３３】
次に、シール蓋９の開封を容易にするためのこのシール蓋９と引っ張りタブ１０との口部８への取り付け方について詳細に説明する。基本的には二通りの形態があり、何れも引っ張りタブ１０を上方へ浮き上がらせ、シール蓋９との間に、この引っ張りタブ１０を摘まみ易くする隙間Ｓを得るようにするものである。
【００３４】
その第一は、図３に示すように、スクリューキャップ４のネジ山によって引っ張りタブ１０を上方へ引き上げてシール蓋９との間に隙間Ｓを得る形態である。また、第二は、図６に示すように、シール蓋９と引っ張りタブ１０とを折り曲げることによって得られる折り曲がりばね効果によって、シール蓋９との間に隙間Ｓを得る形態である。
【００３５】
前記第一の形態の具体的な構成について説明する。
図１、図２の（Ａ）、（Ｂ）に示すように、引っ張りタブ１０のシール蓋９との連結部１１に対向する遊端１０Ｂまでの長さｄをシール蓋９の直径Ｄよりも長尺にし、図１に示すように、遊端１０Ｂが少なくともスクリューキャップ４のネジ山１３の頂部１４の移動経路Ｌを超えてスクリューキャップ４の周壁４Ａの内面４Ｂ側に入り込んで存在する寸法に設定されている。つまり、スクリューキャップ４を注出筒７に螺合させたときには、この引っ張りタブ１０の前記遊端１０Ｂがネジ谷１５に入り込んで存在する寸法に設定されている。
【００３６】
このような構成であると、図１に示すように、注出筒７の口部８にシール蓋９が張り付けられることでこの口部８の密封性が保たれている。また、シール蓋９の上面に引っ張りタブ１０が折畳まれている。この状態では、引っ張りタブ１０の遊端１０Ｂ側が注出筒７の側面から外方へ張り出している。次いで、スクリューキャップ４を注出筒７に螺合させ
ると、このスクリューキャップ４内面のネジ山１３の通過によって、この引っ張りタブ１０の遊端１０Ｂは下方へ折り曲げられる。ネジ山１３が通り過ぎると、図３（Ａ）に示すように、この引っ張りタブ１０の遊端１０Ｂはその弾性反発力によって元の水平な姿勢に復帰しようとして、ネジ山１３の頂部１４の移動経路Ｌを超えてネジ谷１５側に位置することになる。スクリューキャップ４の螺合が完了したときには、シール蓋９の上面に引っ張りタブ１０が折畳み重合された状態で、このスクリューキャップ４によってシール蓋９の上面に押圧密着される。
【００３７】
斯かる密封状態から容器の注出筒７の口部８を開放するには、先ずスクリューキャップ４を回動して注出筒７から離脱する。このときこの引っ張りタブ１０の遊端１０Ｂはスクリューキャップ４のネジ谷１５側に位置しているので、スクリューキャップ４の上方への移動によって、この引っ張りタブ１０の遊端１０Ｂがネジ山１３に引っ掛けられて上方へ引き上げられる。その結果、図３（Ｂ）に示すように、この遊端１０Ｂ側がシール蓋９の上面から上方へ浮き上がり、シール蓋９と引っ張りタブ１０との間に隙間Ｓが形成されることになる。
【００３８】
次に第２の形態の具体的な構成について説明する。
図 4、図５（Ａ）、（Ｂ）に示すように、シール蓋９と引っ張りタブ１０の連結部１１側を注出筒７の外周面よりも更に前記スクリューキャップ４のネジ山１３の移動軌跡Ｌを超えてスクリューキャップ４の周壁４Ａの内面４Ｂ側に入り込んで存在する寸法に設定されている。つまり、スクリューキャップ４を注出筒７に螺合させたときには、この連結部１１の少なくとも左右両端縁部分１１Ａがネジ谷１５に入り込んで存在する寸法に設定されている。
【００３９】
このような構成であると、図４に示すように、注出筒７の口部８にシール蓋９が張り付けられることでこの口部８の密封性が保たれている。また、シール蓋９の上面に引っ張りタブ１０が折畳まれている。この状態では、シール蓋９と引っ張りタブ１０の連結部１１の少なくとも左右両端縁部分１１Ａ側が注出筒７の側面から外方へ張り出している。次いで、スクリューキャップ４を注出筒７に螺合させると、図６（Ａ）に示すように、このスクリューキャップ４の内面のネジ山１３の通過によって、この注出筒７の側面から外方へ張り出した連結部１１の少なくとも左右両端縁部分１１Ａは下方へ折り曲げられる。そして、この折れ曲がりによって、引っ張りタブ１０にはその遊端１０Ｂ側を上方に浮き上がらせようとするバネ力が蓄積される。その結果引っ張りタブ１０にはその遊端１０Ｂ側を常に上方へ浮き上がらせようとするバネ効果が与えられることになる。特にこの連結部１１側はシール蓋９と引っ張りタブ１０とが二枚重ねになった状態で折れ曲がるために、引っ張りタブ１０の遊端１０Ｂを上方へ浮き上がらせようとするバネ効果は一枚ものよりも遥かに強くなる。スクリューキャップ４の螺合が完了したときには、シール蓋９の上面に引っ張りタブ１０が折畳まれた状態で、このスクリューキャップ４によってシール蓋９の上面に押圧密着される。
【００４０】
斯かる密封状態から容器の注出筒７の口部８を開放するには、先ずスクリューキャップ４を回動して注出筒７から離脱させる。このとき、このシール蓋９と引っ張りタブ１０の連結部１１は二重重ねで互いに密着しているから、可撓性よりも剛性が勝り、一旦折り曲げられた後はその折り曲げ姿勢を保持する。従ってスクリューキャップ４の上方への移動によってもこの連結部１１はその折り曲げ姿勢を保つ。更にスクリューキャップ４を回動してその天板４Ｃの内面による押圧力が開放されるに伴って、図６（Ｂ）に示すように、引っ張りタブ１０の遊端１０Ｂ側はその折り曲がりばね効果によって自らシール蓋９の上面から上方へ浮き上がる。そして、最終的にはシール蓋９との間に隙間Ｓが形成されることになる。
【００４１】
このようにして、図１〜３、また、図４〜６に示す何れの場合にも、シール蓋９と引っ張りタブ１０との間に隙間Ｓが形成される。従って、指先の挿入が楽に行え、引っ張りタブ１０の遊端１０Ｂを簡単に摘まみ上げることができる。摘み上げた引っ張りタブ１０をそのまま上方へ引き上げると、この引き上げ力が連結部１１を介してシール蓋１０を上方へ引き上げる力として働き、シール蓋１０を注出筒７の口部８から上手く引き剥がすように働く。
【００４２】
尚、図４〜６に示す実施の形態においては、引っ張りタブ１０の寸法ｄは図１〜３に示す実施の形態のように、長尺にする必要はない。遊端１０Ｂがシール蓋９の周縁９Ａと同等の位置にあっても良く、更には必要に応じて、やや短目であっても良い。隙間Ｓの寸法にもよるが、シール蓋９の周縁９Ａから中心に至る範囲内に遊端１０Ｂが位置する関係寸法であるのが望ましい。
【００４３】
なお、開口した注出筒７の口部８はスクリューキャップ４を螺着して再び封止する。
【実施例１】
【００４４】
次に、アルミニウムフィルム、ポリエステルフィルムの多層フィルムから、図２に示される形態の一体型シール蓋と帯状引張り引っ張りタブを得、帯状の引張り引っ張りタブのシール蓋の遊端からの突出寸法が０. ０ｍｍ、０．３ｍｍ、０．５ｍｍ、０．８ｍｍを夫々１００個作製し、得られたシール蓋を注出筒の口部に貼着して、スクリューキャップを開栓して、それぞれの場合について、帯状の引っ張りタブの遊端の浮き上がりの状況を確認した。
【００４５】
結果は明らかで、突出寸法が０. ０ｍｍの場合には、浮き上がり個数は皆無で、全個シール蓋に密着したままであった。また、０．３ｍｍでは３５個が浮き上がらなかった。０．５ｍｍ、０．８ｍｍの場合には全個浮き上がって、そのまま摘まんで開封出来た。
【００４６】
以上の結果から、張り出し寸法が０．３〜０．８ｍｍまでの間では、スクリューキャップのネジ山の引き上げ力が的確に働き、望ましい隙間を得ることが分かった。
【実施例２】
【００４７】
また、アルミニウムフィルム、ポリエステルフィルムの多層フィルムから、図５に示される形態の折畳み型と図外の接着型の二種類のシール蓋と帯状引張り引っ張りタブを得、連結部が注出筒の口部外縁からの突出寸法が０. ０ｍｍ、０．３ｍｍ、０．５ｍｍ、０．８ｍｍを夫々１００個作製し、得られたシール蓋を注出筒の口部に貼着して、スクリューキャップを閉栓した後、これを開栓して、それぞれの場合について、帯状の引っ張りタブの遊端の浮き上がりの状況を確認した。
【００４８】
得られた結果によると、突出寸法が０. ０ｍｍの場合には、３６個が浮き上がらずシール蓋に密着したままであった。また、０．３ｍｍでは８個が浮き上がらなかった。０．５ｍｍ、０．８ｍｍの場合には全個浮き上がって、そのまま摘まんで開封出来た。
【００４９】
以上の結果から、張り出し寸法が０．３〜０．８ｍｍまでの間で望ましい隙間を得ることが分かった。
【００５０】
以上に示したこの本発明に液体容器用口栓は、単に醤油の収納容器に限らず、他の液体調味料や油、或いは清酒や果実飲料などを収容する容器に適用される。また、容器の構成も切妻屋根型に限定されるものではなく、注出筒とスクリューキャップとを備えたものであれば、例えば合成樹脂製のチューブ容器、空にはパウチ等にも適用できることは言うまでもない。
【符号の説明】
【００５１】
１…紙容器
２…胴部
３…傾斜板
４…スクリューキャップ
７…注出筒
８…口部
９…シール蓋
９Ａ…周縁
１０…引っ張りタブ
１０Ｂ…遊端
１１…連結部
１３…ネジ山
１４…頂部
１５…ネジ谷
Ｄ…シール蓋の直径
ｄ…引っ張りタブの長さ
Ｌ…ネジ山頂部の移動軌跡
Ｓ…隙間
【先行技術文献】
【特許文献】
【００５２】
【特許文献１】実開昭５８−１０３７５１号公報
【特許文献２】特開昭１０−５９４０６号公報
【特許文献３】実開昭５６−９１２６７号公報
【図１】
0005625175.tif 000002
【図２】
0005625175.tif 000003
【図３】
0005625175.tif 000004
【図４】
0005625175.tif 000005
【図５】
0005625175.tif 000006
【図６】
0005625175.tif 000007
【図７】
0005625175.tif 000008
【図８】
0005625175.tif 000009
【図９】
0005625175.tif 000010